(57)【要約】【課題】換気機能と空気調和機が別々になっている場合は、壁面を換気機能と空気調和機が占有し、また空気調和機の背後に換気機能を設置した場合は厚みが厚くなるという課題があり、居住者の邪魔にならない空気調和機能付換気装置を提供することを目的としている。【解決手段】室内を空調する室内機１と、外部環境に設けられる室外機２と、室内外を連通させる円筒状の開口部５に挿入して装着する円筒状の風洞６と、前記風洞６内に給気経路７と排気経路８を備えたものであり、排気経路８の中に排気羽根車１１と排気経路８または給気経路７のどちらかに排気駆動用モータ１２を備えたことで、空気調和機の背面の寸法を薄くすることができ、常時換気よりも換気量が必要な場合は、十分な給気または排気をすることができるという作用を有する。【選択図】図１
2008164184.tif 000002
【特許請求の範囲】
【請求項１】
室内の空気を吸い込み室内を空調する室内機と、室外に設けられる室外機と、同時に給気と排気を行うことができる換気部を備え、前記換気部は室内外を連通させる円筒状の開口部に室内側から挿入して装着する円筒状の風洞と、前記風洞内に給気経路と排気経路を備え、前記給気経路の中に給気羽根車を備え、前記排気経路または前記給気経路のどちらかに前記給気羽根車を回転させる給気駆動用モータを備え、前記排気経路の中に排気羽根車と前記排気経路または前記給気経路のどちらかに排気駆動用モータを備えたことを特徴とする空気調和機能付換気装置。
【請求項２】
換気部の一部が、室内機と、室内と室外を隔てる壁面との間に配置されることを特徴とする請求項１記載の空気調和機能付換気装置。
【請求項３】
室内機と、室内と室外を隔てる壁面の間に、換気部の給気と排気の通風路を持つ間隔を備え、前記壁面に固定するための固定部と前記室内機を据付させる据付部をもつ固定フレームを備えた請求項１または２記載の空気調和機能付換気装置。
【請求項４】
給気羽根車と排気羽根車の回転の中心軸が同軸となる請求項１から３のいずれかに記載の空気調和機能付換気装置。
【請求項５】
風洞内を二重管の構成となるように外周風路と内周風路に分割して、前記外周風路を通風する風量を前記内周風路を通風する風量と同等以上にした請求項１から４のいずれかに記載の空気調和機能付換気装置。
【請求項６】
給気部と排気部のうち、少なくとも一方は送風量を可変することができる請求項１から５のいずれかに記載の空気調和機能付換気装置。
【請求項７】
室内側の給気経路の給気口と室内側の排気経路の排気口が対向する構成とし、給気と排気の短絡を防ぐ構成とした請求項１から６のいずれかに記載の空気調和機能付換気装置。
【請求項８】
壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成とした請求項１から７のいずれかに記載の空気調和機能付換気装置。
【請求項９】
二重管を一定の長さの間で短くする、または長くすることができる伸縮自在管の構成とした請求項１から８のいずれかに記載の空気調和機能付換気装置。
【請求項１０】
室内側の給気経路の給気口に給気フィルターを備え、室内側の排気経路の排気口に排気フィルターを備えた請求項１から９のいずれかに記載の空気調和機能付換気装置。
【請求項１１】
給気駆動用モータと排気駆動用モータのそれぞれの電気配線を連結する接合部を換気装置の本体内部に設けた請求項１から１０のいずれかに記載の空気調和機能付換気装置。
【請求項１２】
外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気の風量を増加させる構成とした請求項１から１１のいずれかに記載の空気調和機能付換気装置。
【請求項１３】
外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気の風量を増加させる構成とした請求項１から１２のいずれかに記載の空気調和機能付換気装置。
【請求項１４】
室内の臭いを検知する臭いセンサを備え、臭いの度合いを読み取り運転条件を制御する制御部を備え、一定値以上の臭いの度合いを読み取った場合は、排気の風量を増加させる構成とした請求項１から１３のいずれかに記載の空気調和機能付換気装置。
【請求項１５】
室内に在籍する人を検知する人感センサを備え、前記人感センサからの信号を受けて、人の在席により運転条件を制御する制御部を備え、人の在席を確認できた場合にのみ、排気部または給気の風量を増加させる構成とした請求項１から１４のいずれかに記載の空気調和機能付換気装置。
【請求項１６】
周囲の明るさを検知する照度センサを備え、部屋の明るさを検知することで運転条件を制御する制御部を備え、一定値以上周囲が暗くなった場合にのみ、給気の風量を増加させる構成とした請求項１から１５のいずれかに記載の空気調和機能付換気装置。
【発明の詳細な説明】
【技術分野】
【０００１】
本発明は、例えば、居室等の室内環境を換気装置により２４時間常時換気を伴って冷房および暖房を行う空気調和機能付換気装置に関するものである。
【背景技術】
【０００２】
従来、この種の空気調和機能付換気装置は、室内機と壁面の間に設置された方式としたものが知られている（例えば特許文献１）。
【０００３】
以下、その空気調和機能付換気装置の一例について図１１および図１２を参照しながら説明する。
【０００４】
居室内に据付られ、少なくとも上部１０１に吸い込み口１０２を有する室内機１０３と、外部環境に設けられる室外機１０４と、室内機１０３と室外機１０４とを接続する冷媒配管１０５と、居室と外部環境とを隔てる壁面１０６に設けられ、冷媒配管１０５が貫通する冷媒配管貫通孔１０７と、外部環境から外気を導入し、室内機１０３の上部１０１の吸い込み口１０２より上に外気を供給する給気部１０８と、居室と外部環境とを隔てる壁面１０６に設けられ、給気部１０８が貫通する給気部貫通孔１０９とを備えた構成となっている。このとき、換気を実施するために、給気部１０８で給気のみを行うものである。
【０００５】
上記構成によって、建築基準法で義務付けられた本格的な２４時間常時換気システムを自由に選定できると共に、換気装置の設置後に空気調和機を選定した場合でも、意匠的に換気用給気口が見えない居室空間が得られる換気機能付き空気調和機及び換気機能付き空気調和機の換気装置及び換気機能付き空気調和機の換気方法を得るものである。
【特許文献１】特開２００６−２３０６５号公報
【発明の開示】
【発明が解決しようとする課題】
【０００６】
このような従来の空気調和機能付換気装置では、換気機能を給気だけにする場合には、自然に排気を行うため給排のバランスが取れないという課題があり、また微小な風量であるため使用者が換気を実感できるほど十分な換気量を確保していないという課題がある。
【０００７】
また、空気調和機の背後に換気機能を設置した場合は換気に給気と排気を同時に実施する場合は厚みが厚くなるという課題もある。
【０００８】
本発明は、このような従来の課題を解決するものであり、換気装置の主要部分をダクトの中に埋め込むことができ、室内側には室内側と連通するための給気口と排気口のみを設置することで装置の厚みを厚くすることがなく、また常時換気にて同時に給気と排気を行うことで給気と排気のバランスを取り安定した換気ができ、かつ大風量の給気または排気に可変できることで、換気を実感することができ、外気冷気を部屋に入れたり、部屋の臭いを排気することができる空気調和機能付換気装置を提供することを目的としている。
【課題を解決するための手段】
【０００９】
本発明の空気調和機能付換気装置は、上記目標を達成するため室内の空気を吸い込み室内を空調する室内機と、室外に設けられる室外機と、同時に給気と排気を行うことができる換気部を備え、前記換気部は室内外を連通させる円筒状の開口部に室内側から挿入して装着する円筒状の風洞と、前記風洞内に給気経路と排気経路を備え、前記給気経路の中に給気羽根車を備え、前記排気経路または前記給気経路のどちらかに前記給気羽根車を回転させる給気駆動用モータを備え、前記排気経路の中に排気羽根車と前記排気経路または前記給気経路のどちらかに排気駆動用モータを備えたことを特徴とする。そして、本発明によれば換気装置の主要部分をダクトの中に埋め込むことができ、室内側には室内側と連通するための給気口と排気口のみを設置することで、居住者の邪魔にならないとともに常時換気では、微小な換気量のため使用者に換気している実感がわかないため、大風量の給気または排気を設置することで外気冷気を部屋に入れたり、部屋の臭いを排気することができる空気調和機能付換気装置が得られる。
【００１０】
また、換気部の一部が、室内機と、室内と室外を隔てる壁面との間に配置されることを特徴とする。
【００１１】
また、室内機と、室内と室外を隔てる壁面の間に、換気部の給気と排気の通風路を持つ間隔を備え、前記壁面に固定するための固定部と前記室内機を据付させる据付部をもつ固定フレームを備えたことを特徴とする。
【００１２】
また、給気羽根車と排気羽根車の回転の中心軸が同軸となることを特徴とする。
【００１３】
また、風洞内を二重管の構成となるように外周風路と内周風路に分割して、前記外周風路を通風する風量を前記内周風路を通風する風量と同等以上にしたことを特徴とする。
【００１４】
また、給気部と排気部のうち、少なくとも一方は送風量を可変することができることを特徴とする。
【００１５】
また、室内側の給気経路の給気口と室内側の排気経路の排気口が固定フレームの別々の面にて配置され、給気と排気の短絡を防ぐ構成としたことを特徴とする。
【００１６】
また、壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成としたことを特徴とする。
【００１７】
また、二重管を一定の長さの間で短くする、または長くすることができる伸縮自在管の構成としたことを特徴とする。
【００１８】
また、室内側の給気経路の給気口に給気フィルターを備え、室内側の排気経路の排気口に排気フィルターを備えたことを特徴とする。
【００１９】
また、給気駆動用モータと排気駆動用モータの別々の電気配線を連結する接合部を換気装置の本体内部に設けたことを特徴とする。
【００２０】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気の風量を増加させる構成としたことを特徴とする。
【００２１】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気の風量を増加させる構成としたことを特徴とする。
【００２２】
また、室内の臭いを検知する臭いセンサを備え、臭いの度合いを読み取り運転条件を制御する制御部を備え、一定値以上の臭いの度合いを読み取った場合は、排気の風量を増加させる構成としたことを特徴とする。
【００２３】
また、室内に在籍する人を検知する人感センサを備え、前記人感センサからの信号を受けて、人の在席により運転条件を制御する制御部を備え、人の在席を確認できた場合にのみ、排気または給気の風量を増加させる構成としたことを特徴とする。
【００２４】
また、周囲の明るさを検知する照度センサを備え、部屋の明るさを検知することで運転条件を制御する制御部を備え、一定値以上周囲が暗くなった場合にのみ、給気の風量を増加させる構成としたことを特徴とする。
【発明の効果】
【００２５】
本発明によれば居室内に据付されており、室内の空気を吸い込み室内を空調する室内機と、室外に設けられる室外機と、同時に給気と排気を行うことができる換気部を備え、前記換気部は室内外を連通させる円筒状の開口部に室内側から挿入して装着する円筒状の風洞と、前記風洞内に給気経路と排気経路を備え、前記給気経路の中に給気羽根車を備え、前記排気経路または前記給気経路のどちらかに前記給気羽根車を回転させる給気駆動用モータを備え、前記排気経路の中に排気羽根車と前記排気経路または前記給気経路のどちらかに排気駆動用モータを備えたことにより空気調和機の背面の寸法を薄くすることで、壁面を占有することなく、空気調和機能付換気装置の圧迫感を解消しつつ、常時換気にて給気と排気をバランスよく同時に行うことができ、必要な場合には可変して十分な給気をすることで、夜間の外気温度が下がってきた場合に空気を多く取り込むことで省エネを実現したり、十分な排気により部屋の空気の入れ替えを早期に実現でき、換気の実感をすることができるという効果のある空気調和機能付換気装置を提供できる。
【００２６】
また、換気部の一部が、室内機と、室内と室外を隔てる壁面との間に配置されることを特徴とすることにより同様の効果のある空気調和機能付換気装置を提供できる。
【００２７】
また、室内機と、室内と室外を隔てる壁面の間に、換気部の給気と排気の通風路を持つ間隔を備え、前記壁面に固定するための固定部と前記室内機を据付させる据付部をもつ固定フレームを備えたことにより同様の効果のある空気調和機能付換気装置を提供できる。
【００２８】
また、給気羽根車と排気羽根車の回転の中心軸が同軸となることにより同様の効果のある空気調和機能付換気装置を提供できる。
【００２９】
また、風洞内を二重管の構成となるように外周風路と内周風路に分割して、前記外周風路を通風する風量を前記内周風路を通風する風量と同等以上にしたことにより同様の効果のある空気調和機能付換気装置を提供できる。
【００３０】
また、給気部と排気部のうち、少なくとも一方は送風量を可変することができることにより同様の効果のある空気調和機能付換気装置を提供できる。
【００３１】
また、室内側の給気経路の給気口と室内側の排気経路の排気口が固定フレームの別々の面にて配置され、給気と排気の短絡を防ぐ構成としたことにより同様の効果のある空気調和機能付換気装置を提供できる。
【００３２】
また、壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成としたことにより同様の効果のある空気調和機能付換気装置を提供できる。
【００３３】
また、二重管を一定の長さの間で短くする、または長くすることができる伸縮自在管の構成としたことにより同様の効果のある空気調和機能付換気装置を提供できる。
【００３４】
また、室内側の給気経路の給気口に給気フィルターを備え、室内側の排気経路の排気口に排気フィルターを備えたことにより同様の効果のある空気調和機能付換気装置を提供できる。
【００３５】
また、給気駆動用モータと排気駆動用モータの別々の電気配線を連結する接合部を換気装置の本体内部に設けたことにより同様の効果のある空気調和機能付換気装置を提供できる。
【００３６】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気の風量を増加させる構成としたことにより同様の効果のある空気調和機能付換気装置を提供できる。
【００３７】
また、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気の風量を増加させる構成としたことにより同様の効果のある空気調和機能付換気装置を提供できる。
【００３８】
また、室内の臭いを検知する臭いセンサを備え、臭いの度合いを読み取り運転条件を制御する制御部を備え、一定値以上の臭いの度合いを読み取った場合は、排気の風量を増加させる構成としたことにより同様の効果のある空気調和機能付換気装置を提供できる。
【００３９】
また、室内に在籍する人を検知する人感センサを備え、前記人感センサからの信号を受けて、人の在席により運転条件を制御する制御部を備え、人の在席を確認できた場合にのみ、排気または給気の風量を増加させる構成としたことにより同様の効果のある空気調和機能付換気装置を提供できる。
【００４０】
また、周囲の明るさを検知する照度センサを備え、部屋の明るさを検知することで運転条件を制御する制御部を備え、一定値以上周囲が暗くなった場合にのみ、給気の風量を増加させる構成としたことにより同様の効果のある空気調和機能付換気装置を提供できる。
【発明を実施するための最良の形態】
【００４１】
本発明の請求項１記載の発明は、室内の空気を吸い込み室内を空調する室内機と、室外に設けられる室外機と、同時に給気と排気を行うことができる換気部を備え、前記換気部は室内外を連通させる円筒状の開口部に室内側から挿入して装着する円筒状の風洞と、前記風洞内に給気経路と排気経路を備え、前記給気経路の中に給気羽根車を備え、前記排気経路または前記給気経路のどちらかに前記給気羽根車を回転させる給気駆動用モータを備え、前記排気経路の中に排気羽根車と前記排気経路または前記給気経路のどちらかに排気駆動用モータを備えたことを特徴とするものであり、空気調和機の背面の寸法を薄くすることで、壁面を占有することなく、空気調和機能付換気装置の圧迫感を解消しつつ、常時換気にて給気と排気をバランスよく同時に行うことができ、必要な場合には給気羽根車の回転数を増加して可変して十分な給気をすることで、夜間の外気温度が下がってきた場合に空気を多く取り込むことで省エネを実現したり、排気羽根車の回転数を増加して、十分な排気により部屋の空気の入れ替えを早期に実現でき、換気の実感をすることができるという作用を有する。
【００４２】
本発明の請求項２記載の発明は、換気部の一部が、室内機と、室内と室外を隔てる壁面との間に配置されることを特徴とするものであり、空気調和機の背面の寸法を薄くすることで、壁面を占有することなく、空気調和機能付換気装置の圧迫感を解消しつつ、常時換気にて給気と排気をバランスよく同時に行うことができ、必要な場合には給気羽根車の回転数を増加して可変して十分な給気をすることで、夜間の外気温度が下がってきた場合に空気を多く取り込むことで省エネを実現したり、排気羽根車の回転数を増加して、十分な排気により部屋の空気の入れ替えを早期に実現でき、換気の実感をすることができるという作用を有する。
【００４３】
本発明の請求項３記載の発明は、室内機と、室内と室外を隔てる壁面の間に、換気部の給気と排気の通風路を持つ間隔を備え、前記壁面に固定するための固定部と前記室内機を据付させる据付部をもつ固定フレームを備えたものであり、空気調和機の背面の寸法を薄くすることで、壁面を占有することなく、空気調和機能付換気装置の圧迫感を解消しつつ、常時換気にて給気と排気をバランスよく同時に行うことができ、必要な場合には給気羽根車の回転数を増加して可変して十分な給気をすることで、夜間の外気温度が下がってきた場合に空気を多く取り込むことで省エネを実現したり、排気羽根車の回転数を増加して、十分な排気により部屋の空気の入れ替えを早期に実現でき、換気の実感をすることができるという作用を有する。
【００４４】
本発明の請求項４記載の発明は、給気羽根車と排気羽根車の回転の中心軸が同軸となるものであり、中心軸が同軸になっていなければ、必要以上にダクトを大きくする必要があるため適切でなく、壁の穴あけを最小限の穴開けとすることができるという作用を有する。
【００４５】
本発明の請求項５記載の発明は、風洞内を二重管の構成となるように外周風路と内周風路に分割して、前記外周風路を通風する風量を前記内周風路を通風する風量と同等以上にしたものであり、外周風路を利用して、常時換気量よりも大きな風量を給気または排気のどちらか一方を実施することができるという作用を有する。
【００４６】
本発明の請求項６記載の発明は、給気部と排気部のうち、少なくとも一方は送風量を可変することができるものであり、外周風路を利用して、常時換気量よりも大きな風量を給気または排気のどちらか一方を実施することができるという作用を有する。
【００４７】
本発明の請求項７記載の発明は、室内側の給気経路の給気口と室内側の排気経路の排気口が固定フレームの別々の面にて配置され、給気と排気の短絡を防ぐ構成としたものであり、給気と排気の有効な換気量を得ることができるという作用を有する。
【００４８】
本発明の請求項８記載の発明は、壁面が換気装置よりも厚い場合は、前記換気装置の室外側には、円筒状の開口部に挿入する外側の外風路を外周管と内周管で形成し、内側の内風路を前記内周管で形成した二重管を装着して延長する構成としたものであり、壁の厚みが異なるいろいろな住居に設置ができるという作用を有する。
【００４９】
本発明の請求項９記載の発明は、二重管を一定の長さの間で短くする、または長くすることができる伸縮自在管の構成としたものであり、壁の厚みが異なるいろいろな住居に設置ができるという作用を有する。
【００５０】
本発明の請求項１０記載の発明は、室内側の給気経路の給気口に給気フィルターを備え、室内側の排気経路の排気口に排気フィルターを備えたものであり、室外側の粉塵や花粉を防ぎ、室内側からの埃や異物を除去できるという作用を有する。
【００５１】
本発明の請求項１１記載の発明は、給気駆動用モータと排気駆動用モータの別々の電気配線を連結する接合部を換気装置の本体内部に設けたものであり、施工業者の電気配線を簡便にすることができるという作用を有する。
【００５２】
本発明の請求項１２記載の発明は、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以上であり、外気温度が室内温度よりも所定の温度以上低い場合は、外気を取り込む給気の風量を増加させる構成としたものであり、暑いときに省エネをすることができるという作用を有する。
【００５３】
本発明の請求項１３記載の発明は、外気温度を検知する外気温検知手段と室内温度を検知する室内温検知手段とを備え、前記外気温検知手段と前記室内温検知手段から検出した外気温度と室内温度を読み取り運転条件を制御する制御部を備え、外気温度が定められた基準温度以下であり、外気温度が室内温度よりも所定の温度以上高い場合は、外気を取り込む給気の風量を増加させる構成としたものであり、寒いときに省エネをすることができるという作用を有する。
【００５４】
本発明の請求項１４記載の発明は、室内の臭いを検知する臭いセンサを備え、臭いの度合いを読み取り運転条件を制御する制御部を備え、一定値以上の臭いの度合いを読み取った場合は、排気の風量を増加させる構成としたものであり、臭いを適切に減らすことができるという作用を有する。
【００５５】
本発明の請求項１５記載の発明は、室内に在籍する人を検知する人感センサを備え、前記人感センサからの信号を受けて、人の在席により運転条件を制御する制御部を備え、人の在席を確認できた場合にのみ、排気部または給気部の風量を増加させる構成としたものであり、必要なときだけ排気部または給気の風量を増加することができるという作用を有する。
【００５６】
本発明の請求項１６記載の発明は、周囲の明るさを検知する照度センサを備え、部屋の明るさを検知することで運転条件を制御する制御部を備え、一定値以上周囲が暗くなった場合にのみ、給気の風量を増加させる構成としたものであり、必要なときだけ給気部の風量を増加することができるという作用を有する。
【００５７】
以下、本発明の実施の形態について図面を参照しながら説明する。
【００５８】
（実施の形態１）
図１は本発明の実施の形態１の構造を示す斜視断面図、図２は本発明の実施の形態１の設置の状況を示す斜視図、図３は本発明の実施の形態１の換気部の構造を示す側面断面図、図４は本発明の実施の形態１の部品の形態を示す斜視分割図、図５は本発明の実施の形態１のスライドパイプを示す斜視断面図である。
【００５９】
図１から図５に示すように、居室内に据付されており、室内の空気を吸い込み、室内を空調する室内機１を備え、外部環境に設けられる室外機２を備え、室内機１と室外機２を接続する冷媒配管３を備え、冷媒配管３を室内外を連通させる冷媒開口部４を備えた構成であり、室内外を連通させる円筒状の開口部５に室内側から挿入して装着する円筒状の風洞６を備え、風洞内に給気経路７と排気経路８を備え、給気経路７の中に給気羽根車９を備え、排気経路８または給気経路７のどちらかに給気羽根車９を回転させる給気駆動用モータ１０を備えて、更に排気経路８の中に排気羽根車１１と排気経路８または給気経路７のどちらかに排気駆動用モータ１２を備えて、同時に給気と排気を行うことができる換気部１３を備えた構成となっている。
【００６０】
また、室内外を連通させるために、壁面１４に穴を開けて、換気部１３の大半を埋め込む構成となっており、換気部１３の居室内の空気を排気する排気口１５と外部環境の空気を取り込む給気口１６に関する部分のみが、室内機１と壁面１４との間に配置される。
【００６１】
室内機１と壁面１４の間に換気部１３の給気と排気の通風の機能を満たす最低限の間隔１７を備え、壁面１４に固定するための固定部１８と室内機１を据付させる据付部１９をもつ固定フレーム２０を備えている。
【００６２】
換気部１３は、１例として、直径約８０ｍｍ相当の内周風路２１を構成する入口内側風洞２２を持ち、内周風路２１の中にプロペラファンまたはターボファンの形状をした排気羽根車１１を設置している。排気羽根車１１を常時換気の排気量を満足するように回転の中心軸２３で連結された排気駆動用モータ１２を設けている。また排気羽根車１１と回転の中心軸２３が同一で、かつ排気羽根車１１よりも直径が大きい給気羽根車９を排気羽根車１１と排気駆動用モータ１２よりも室外側に設置している。給気羽根車９のボス部２４の内周側は連通する空洞となっており、排気羽根車１１によって排気される空気を通過できる構成となっている。給気羽根車９のボス部２４は内周風路２１の直径相当となっており、内周風路２１を構成する入口内側風洞２２の端部と給気羽根車９のボス部２４の端部は、１例として、１から３ｍｍ相当の空間が開いており、内周風路２１を通過する排気空気と外周風路２５を通過する給気空気が混ざりにくく、かつ給気羽根車９が回転時に内周風路２１に接触しないように構成されている。給気羽根車９は常時換気の風量を満足するとともに、更に風量を増大することができるように設定された給気駆動用モータ１０を設けている。
【００６３】
室内へ給気をする場合に、室内側の給気経路の給気口１６と室内側の排気経路の排気口１５を、固定フレーム２０の上面と下面に配設して、排気口１５と給気口１６が対向する構成とし、給気と排気の短絡を防ぐようになっている。
【００６４】
給気駆動用モータ１０は室外側に設置されており、その外周を内周風路２１と外周風路２５を分離する出口内側風洞２６を備え、壁面１４が換気部１３の埋込部の厚みよりも厚い場合は、円筒状の開口部５に挿入する外側の外周風路２５を外周管２７と内周管２８で形成し、内側の内周風路２１を内周管２８で形成した二重管２９を装着して延長できる構成となっている。二重管２９は一定の長さの間で短くしたり長くしたりすることができるように伸縮自在の伸縮自在管であるスライドパイプ３０の構成となっており、壁面１４の厚みにあわせて適切にスライドパイプ３０の一部をスライドさせて長さを調節して設置する構成となっている。
【００６５】
つぎに、本実施の形態１における動作を説明する。室内機１は、室外機２とともに空気調和の機能を持ち、夏は冷房、冬は暖房をすることができる。室内機１と室外機２は居室の壁を介して冷媒配管３により接続されている。
【００６６】
換気部１３は、住宅の常時換気を行うため、内周風路２１を使って、排気羽根車１１と排気駆動用モータ１２を動作させて、室内側にある排気口１５から室内の空気が排気され、室内にある有害物質（一例としてホルムアルデヒド）を室外に排出して、居住する人の健康を維持するものである。また、外周風路２５を使って、給気羽根車９と給気駆動用モータ１０を動作させて、室外の空気を室内側にある給気口１６から給入する。これにより給気と排気の風量のバランスをとり、室内と室外の静圧差が生じないようにして、部屋の状況により換気が不十分になることを防ぐものである。
【００６７】
ここで、外周風路２５は、内周風路２１に比較して断面積が大きいので、給気羽根車９と給気駆動用モータ１０の回転速度を向上して、外周風路２５を通過する風量を一定の範囲で増加することができる（一例として１０〜１５０ｍ3／ｈ）。これにより、常時換気だけでは換気を実感できない使用者にも換気を実感することができ、具体的に窓を開けることなく臭いを室外へ排出したり、外気冷気を取り入れることができる。
【００６８】
（実施の形態２）
実施の形態１と同一部分は同一番号を附し詳細な説明は省略する。図６は本発明の実施の形態２の換気部のフィルターの設置の状況を示す側面図である。
【００６９】
室内側には、屋外の空気を流入するときに、外気のほこりや花粉などを除去する給気フィルター３１と室内の異物を混入して排気羽根車１１を破損しないために排気フィルター３２を設置する構成になっている。給気フィルター３１と排気フィルター３２はともに、室内側から簡単に取り外すことができ、メンテナンスが容易にできるようになっている。
【００７０】
給気駆動用モータ１０と排気駆動用モータ１２の別々の電気配線となっているが、施工時に簡単に配線できるようにそれぞれの電気配線を連結する接合部を換気部１３の本体内部に設けている。これにより室内側の電気配線は一つのコンセントのみで実施することができる。
【００７１】
（実施の形態３）
実施の形態１または２と同一部分は同一番号を附し詳細な説明は省略する。図７は本発明の実施の形態３の換気部の構造を示す斜視断面図である。
【００７２】
図７に示すように、外気温度を検知する外気温検知手段としての外気検知サーミスタ３３と室内温度を検知する室内温検知手段としての室内検知サーミスタ３４とを備え、外気検知サーミスタ３３と室内検知サーミスタ３４から検出した外気温度と室内温度を読み取り運転条件を制御する制御部３５を備え、外気検知サーミスタ３３で検知する外気温度が定められた基準温度、例えば１６℃以上であり、外気検知サーミスタ３３で検知する外気温度が、室内検知サーミスタ３４で検知する室内温度よりも所定の温度、例えば２Ｋ以上低い場合は、給気羽根車９と給気駆動用モータ１０の回転数を増加させることで、外気を取り込む給気の風量を増加できる構成としたものである。
【００７３】
換気部１３は、通常は常時換気を行い、給気量と排気量をほぼ同等にして運転している。しかし、例えば夜間に空気調和機を運転して就寝した場合に、外気検知サーミスタ３３で検知する外気温度が空気調和機の設定温度以下になった場合でも、現状では空気調和機が運転能力を低下する、または停止するが、室内の人の発熱があるため、徐々に室内温度が上昇する。したがって室内の発熱量に相当する外気冷気を積極的に取り入れ、冷房を停止しても室内の温度上昇がないように換気量の制御を行い、快適かつ効果的に省エネを実現することで、使用者が換気を実感することができる。
【００７４】
なお、外気温検知手段と室内温検知手段は、室外温度と室内温度を測定でき、測定精度や耐久性を考慮すれば、赤外線温度センサ等その他の温度検知手段での温度検知でも良い。
【００７５】
（実施の形態４）
実施の形態１乃至３のいずれかと同一部分は同一番号を附し詳細な説明は省略する。図８は本発明の実施の形態４の換気部の構造を示す斜視断面図である。
【００７６】
図８に示すように、室内の臭いを検知する臭いセンサ３６を備え、臭いの度合いを読み取り運転条件を制御する制御部３５を備え、一定値以上の臭いの度合い（一例として臭気強度指数１以上に比例したセンサ度数）を読み取った場合は、排気羽根車１１と排気駆動用モータ１２の回転数を増加させることで、排気の風量を増加させる構成としたものである。これにより室内の臭いを排出でき、使用者が換気を実感することができる。臭いセンサとしては、臭気を検知できればよく、例えば、半導体臭気センサなどがある。
【００７７】
（実施の形態５）
実施の形態１乃至４のいずれかと同一部分は同一番号を附し詳細な説明は省略する。図９は本発明の実施の形態５の換気装置の構成を示す斜視断面図である。
【００７８】
図９に示すように、室内に在籍する人を検知する人感センサ３７を備え、人の在席により運転条件を制御する制御部３５を備え、人から放射される熱線の量の変化を検知して、人が在席している場合は、排気または給気の風量を増加させる構成としたものである。これにより、人がいるときのみ大風量の換気をして、省エネとすることができる。人感センサとしては、人が検知できればよく、例えば、赤外線焦電センサなどがある。
【００７９】
（実施の形態６）
実施の形態１乃至５のいずれかと同一部分は同一番号を附し詳細な説明は省略する。図１０は本発明の実施の形態６の換気装置の構成を示す斜視断面図である。
【００８０】
図１０に示すように、周囲の明るさを検知する照度センサ３８を備え、部屋の明るさを検知することで運転条件を制御する制御部３５を備え、一定値以上周囲が暗くなった場合（一例として１０〜１５Ｌｘ）にのみ、給気羽根車９と給気駆動用モータ１０の回転数を増加させることで、給気の風量を増加させる構成としたものである。これにより、人がいるときのみ大風量の換気をして、省エネとすることができる。照度センサとしては、明るさが検知できればよく、例えば、フォトダイオードなどの量子型赤外線センサなどがある。
【産業上の利用可能性】
【００８１】
熱交換素子を用いて容易に熱交換機能を持たすことができ、換気装置の室内側に熱交換素子を取付けることにより、省スペースで省エネ効果のある空気調和機能付の熱交換換気扇などの用途にも適用できる。
【図面の簡単な説明】
【００８２】
【図１】本発明の実施の形態１の構造を示す斜視断面図
【図２】本発明の実施の形態１の設置の状況を示す斜視図
【図３】本発明の実施の形態１の換気部の構造を示す側面断面図
【図４】本発明の実施の形態１の部品の構成を示す斜視分割図
【図５】本発明の実施の形態１のスライドパイプを示す斜視断面図
【図６】本発明の実施の形態２の換気部のフィルターの設置の状況を示す側面図
【図７】本発明の実施の形態３の換気部の構造を示す斜視断面図
【図８】本発明の実施の形態４の換気部の構造を示す斜視断面図
【図９】本発明の実施の形態５の換気部の構造を示す斜視断面図
【図１０】本発明の実施の形態６の換気部の構造を示す斜視断面図
【図１１】従来の空気調和機能付換気装置の構造を示す斜視分割図
【図１２】従来の空気調和機能付換気装置の設置の状況を示す概念図
【符号の説明】
【００８３】
１    室内機
２    室外機
３    冷媒配管
４    冷媒開口部
５    開口部
６    風洞
７    給気経路
８    排気経路
９    給気羽根車
１０  給気駆動用モータ
１１  排気羽根車
１２  排気駆動用モータ
１３  換気部
１４  壁面
１５  排気口
１６  給気口
１７  間隔
１８  固定部
１９  据付部
２０  固定フレーム
２１  内周風路
２２  入口内側風洞
２３  中心軸
２４  ボス部
２５  外周風路
２６  出口内側風洞
２７  外周管
２８  内周管
２９  二重管
３０  スライドパイプ
３１  給気フィルター
３２  排気フィルター
３３  外気検知サーミスタ
３４  室内検知サーミスタ
３５  制御部
３６  臭いセンサ
３７  人感センサ
３８  照度センサ
【図１】
2008164184.tif 000003
【図２】
2008164184.tif 000004
【図３】
2008164184.tif 000005
【図４】
2008164184.tif 000006
【図５】
2008164184.tif 000007
【図６】
2008164184.tif 000008
【図７】
2008164184.tif 000009
【図８】
2008164184.tif 000010
【図９】
2008164184.tif 000011
【図１０】
2008164184.tif 000012
【図１１】
2008164184.tif 000013
【図１２】
2008164184.tif 000014